(57)【特許請求の範囲】
【請求項１】
板状のパネル本体（１）と、
上記パネル本体（１）の周縁に突設した上下、左右の周縁枠（１ａ）、（１ｂ）、（２ａ）、（２ｂ）と、
上下の周縁枠（１ａ）、（１ｂ）にそれぞれ形成した左右一対の上側貫通孔（３）、（３）及び下側貫通孔（４）、（４）と、
上記パネル本体（１）の背面側に設けた左右一対の取付け部材（５）、（５）とからなり、
上記取付け部材（５）は、上記パネル本体（１）の背面側に固定したブラケット（６）と、上記ブラケット（６）に固定されて上記上側周縁枠（１ａ）の上記上側貫通孔（３）を上方に向けて貫通するガイドロッド（７）と、上記ガイドロッド（７）の外周に上下方向及び回転方向に移動自在に挿入された引っ掛け部材（８）と、を備えていることを特徴とする防音、防塵、防風、防雨用パネル。
【請求項２】
上記取付け部材（５）は、上記引っ掛け部材（８）と上記パネル本体（１）の背面との間に介装して上記引っ掛け部材（８）を回転方向に附勢する附勢部材（９）と、上記パネル本体（１）の背面側に上記引っ掛け部材（８）と対向して固定されて上記附勢部材（９）の附勢による上記引っ掛け部材（８）の回転を規制するストッパ（１０）と、を備えている請求項１に記載の防音、防塵、防風、防雨用パネル。
【請求項３】
上記パネル本体（１）の背面と上記上下、左右の周縁枠（１ａ）、（１ｂ）、（２ａ）、（２ｂ）の背面との間のコーナーに縦方向の補強フレーム（１１ａ）と、水平方向の補強フレーム（１１ｂ）とを設け、上記縦方向の補強フレーム（１１ａ）に上記ブラケット（６）と上記ストッパ（１０）とを結合している請求項２に記載の防音、防塵、防風、防雨用パネル。
【請求項４】
上記引っ掛け部材（８）が、本体（８ａ）と、上記本体（８ａ）の上部に設けたフック（８ｂ）と、上記本体（８ａ）の側部に設けた上下一対のガイドロッド挿入用の筒部（８ｃ）、（８ｃ）とからなり、
上記附勢部材（９）が、上記ガイドロッド（７）の外周に挿入されて上記筒部（８ｃ）、（８ｃ）間に配置されたコイル部（９ａ）と、上記コイル部（９ａ）から一方に延びて上記本体（８ａ）の背面に当接する押圧部片（９ｂ）と、上記コイル部（９ａ）から上記押圧部片（９ｂ）と反対方向に延びるアーム部（９ｃ）と、上記アーム部（９ｃ）の端部に連設されて上記パネル本体（１）の背面に当接する突っ張り片（９ｄ）とで構成され、
上記ストッパ（１０）が、上記縦方向の補強フレーム（１１ａ）の外面に固定した固定板（１０ａ）と、上記固定板（１０ａ）から上記引っ掛け部材（８）に向けて折り曲げたストップ片（１０ｂ）とで構成されている請求項３に記載の防音、防塵、防風、防雨用パネル。
【請求項５】
上記ガイドロッド（７）に上記引っ掛け部材（８）の下側の筒部（８ｃ）に対向するナット（１２）を螺合し、上記ナット（１２）の位置に応じて上記引っ掛け部材（８）の上下位置を規制している請求項４に記載の防音、防塵、防風、防雨用パネル。
【請求項６】
枠組み足場（Ａ）と、
上記枠組み足場（Ａ）の妻面側に着脱自在に取り付けた防音、防塵、防風、防雨用パネル（Ｂ）とからなり、
上記枠組み足場（Ａ）は、前後一対の脚柱（１２ａ）、（１２ｂ）と上記脚柱（１２ａ）、（１２ｂ）間に架設した横架材（１３）とを備えて横方向に連続する複数の建枠（１５）と、上記横架材（１３）間に架設した足場板（１４）とで構成され、
上記パネル（Ｂ）は、板状のパネル本体（１）と、上記パネル本体（１）の周縁に突設した上下、左右の周縁枠（１ａ）、（１ｂ）、（２ａ）、（２ｂ）と、上下の周縁枠（１ａ）、（１ｂ）にそれぞれ形成した左右一対の上側貫通孔（３）、（３）及び下側貫通孔（４）、（４）と、上記パネル本体（１）の背面側に設けた左右一対の取付け部材（５）、（５）とからなり、
上記取付け部材（５）は、上記パネル本体（１）の背面側に固定したブラケット（６）と、上記ブラケット（６）に固定されて上記上側周縁枠（１ａ）の上記上側貫通孔（３）を上方に向けて貫通するガイドロッド（７）と、上記ガイドロッド（７）の外周に上下方向及び回転方向に移動自在に挿入された引っ掛け部材（８）と、を備え、
上記引っ掛け部材（８）を上記横架材（１３）に着脱自在に引っ掛けて上記パネル（Ｂ）を上記枠組み足場の妻面に配置することを特徴とする作業足場。
【請求項７】
上記取付け部材（５）は、上記引っ掛け部材（８）と上記パネル本体（１）の背面との間に介装して上記引っ掛け部材（８）を回転方向に附勢する附勢部材（９）と、上記パネル本体（１）の背面側に上記引っ掛け部材（８）と対向して固定されて上記附勢部材（９）の附勢による上記引っ掛け部材（８）の回転を規制するストッパ（１０）と、を備えていることを特徴とする請求項６に記載の作業足場。
【請求項８】
単管足場（Ｃ）と、
上記単管足場（Ｃ）の正面側に着脱自在に取り付けた防音、防塵、防風、防雨用パネル（Ｂ）とからなり、
上記単管足場（Ｃ）は、前後一対の脚柱（１６ａ）、（１６ｂ）と上記脚柱（１６ａ）、（１６ｂ）間に架設した水平材（１７）とを備えて横方向に連続する複数の枠体（１８）と、上記枠体（１８）同士を横方向に連結する横パイプ（２０）と、上記水平材（１７）間に架設した足場板（１９）とで構成され、
上記パネル（Ｂ）は、板状のパネル本体（１）と、上記パネル本体（１）の周縁に突設した上下、左右の周縁枠（１ａ）、（１ｂ）、（２ａ）、（２ｂ）と、上下の周縁枠（１ａ）、（１ｂ）にそれぞれ形成した左右一対の上側貫通孔（３）、（３）及び下側貫通孔（４）、（４）と、上記パネル本体（１）の背面側に設けた左右一対の取付け部材（５）、（５）とからなり、
上記取付け部材（５）は、上記パネル本体（１）の背面側に固定したブラケット（６）と、上記ブラケット（６）に固定されて上記上側周縁枠（１ａ）の上記上側貫通孔（３）を上方に向けて貫通するガイドロッド（７）と、上記ガイドロッド（７）の外周に上下方向及び回転方向に移動自在に挿入された引っ掛け部材（８）と、を備え、
上記引っ掛け部材（８）を上記横パイプ（２０）に着脱自在に引っ掛けて上記パネル（Ｂ）を上記単管足場（Ｃ）の正面に配置することを特徴とする作業足場。
【請求項９】
上記取付け部材（５）は、上記引っ掛け部材（８）と上記パネル本体（１）の背面との間に介装して上記引っ掛け部材（８）を回転方向に附勢する附勢部材（９）と、上記パネル本体（１）の背面側に上記引っ掛け部材（８）と対向して固定されて上記附勢部材（９）の附勢による上記引っ掛け部材（８）の回転を規制するストッパ（１０）と、を備えている請求項８に記載の作業足場。
【請求項１０】
上記パネル（Ｂ）が上下方向又は上下方向と左右方向に沿って複数配置され、下側パネル（Ｂ）の上記ガイドロッド（７）を上側パネル（Ｂ）の下側周縁枠（１ｂ）に形成した上記下側貫通孔（４）に差し込み、併せて上記下側パネル（Ｂ）の上側周縁枠（１ａ）の上面に上記上側パネル（Ｂ）の下側周縁枠（１ｂ）の下面を重ねて上下の上記パネル（Ｂ）、（Ｂ）を積層させることを特徴とする請求項６又は８に記載の作業足場。
【請求項１１】
上記脚柱（１２ａ，１６ａ）、（１２ｂ，１６ｂ）、の下部に上向きのピン（２６）を設けた受け金具（２４）、（２５）を取付け、上記受け金具（２４）、（２５）上に下側パネル（Ｂ）の下面を当接すると共に上記ピン（２６）を上記下側パネル（Ｂ）の上記下側貫通孔（４）に挿入している請求項１０に記載の作業足場。
【発明の詳細な説明】
【技術分野】
【０００１】
本発明は、建築工事中又は解体工事中に構築物の外周に配置する防音、防塵、防風、防雨用のパネルと、このパネルを取付けた作業足場に関する。
【背景技術】
【０００２】
ビルディング等の構築物の築造や解体などの作業の際には、構築物を囲むように枠組足場や単管足場などからなる作業足場を設けているが、近年では、この作業足場の正面、側面（妻面）にパネルを配置して作業現場から発生する騒音、ゴミ等が外部に漏れるのを防止し、又は減少させ、併せて防風、防雨も図るようにしているのが普通である。
【０００３】
そして、例えば、枠組足場や単管足場等の作業足場の正面に防音、防塵用等のパネルを上下方向と左右方向に連続して組み込む場合の構造についてはこれまでに種々の技術が開発されているが、その中で、たとえば、特許文献１に開示されている防音パネルを取付けた作業足場にあっては、上下、左右に設けた多数の養生クランプを利用して防音パネルを取付けている。
【０００４】
この養生クランプは、枠組足場の建枠を形成する脚柱、つまり、枠組足場の正面で左右となる脚柱に締結したパイプクランプと、このパイプクランプのベース部材に固着された左右一対のＬ字状取付ピンとによって形成されている。
【０００５】
他方、防音パネルは、板状のパネル本体と、パネル本体の周縁に水平に突設した上下、左右の周縁枠と、上下の周縁枠に形成した左右一対の貫通孔とで構成されている。
【０００６】
これにより、この作業足場によれば、例えば、上下方向に上下二枚の防音パネルを積層させる場合は、まず、脚柱にパイプクランプを締結しておき、このパイプクランプの一方の取付ピンを下側防音パネルの上端側周縁枠に形成した貫通孔に挿通して上方に貫通し、次いで、下側防音パネルの上端側周縁枠の上面に上側防音パネルの下側周縁枠の下面を重ね合せながら上記の取付ピンを上側防音パネルの下端側周縁枠に形成した貫通孔にも挿通し、この取付ピンを介して上下に防音パネルを重ねて結合している。
【０００７】
同じく、例えば、左右方向に二枚の防音パネルを並べて配置する場合は、パイプクランプの一方の取付ピンを左側の防音パネルの下端側周縁枠に形成した右側の環通孔に挿通し、他方の取付ピンを右側の防音パネルの下端側周縁枠に形成した左側の環通孔に挿通し、この取付ピンを介して左右に防音パネルを並べて結合する。
【０００８】
そして、上記の作業の繰り返しで、防音パネルを作業足場の正面側と、側面側に上下方向および左右方向に、すなわち、縦横に連続して組み付けている。
【先行技術文献】
【特許文献】
【０００９】
【特許文献１】特開２０１３−０８３０６１号公報（図１２、段落０００２〜０００５参照）
【発明の概要】
【発明が解決しようとする課題】
【００１０】
しかしながら、上記した特許文献１に開示されている作業足場にあっては、防音用パネルや養生クランプの構造及びその取付作業について、機能上特に欠陥がある訳ではないが、養生クランプが多数必要となる。
その為、養生クランプの着脱操作の手間がかかるばかりでなく、各養生クランプにパネルを着脱させるため、その操作も面倒であり、手間がかかるから加工性、作業性、経済性に不利であった。
【００１１】
すなわち、上記した作業足場は、脚柱に多数の養生クランプを取付けておく必要があるため、部品点数が多く足場全体の構造が複雑となり、組付性、経済性に劣る。
【００１２】
また、多数の養生クランプにその都度パネルを取付け、又は外す作業が必要となり、さらに、養生クランプの着脱操作に加えて防音パネルの着脱操作が必要で操作が二重となり、全体の作業が面倒で、作業時間がかかりその改善が望まれている。
【００１３】
更に、防音パネルと養生クランプは別部材であるから、搬送、格納を別々に行う必要があり、その作業が面倒で、在庫管理も不便である。
【００１４】
本発明は、上記した現状を鑑みて創案されたものであって、その目的とするところは、パネル本体とその取付け部材とを一体にして搬送、格納ができる防音、防塵、防風、防雨用のパネルを提供することであり、
併せて、このパネルを取付けた作業足場の構造の簡素化とパネルの取付け、取外し作業を容易にし、そのスピードアップ化を図れる作業足場を提供することである。
【００１５】
要するに、本発明の目的は、養生クランプを使用すること無く、作業足場等に取付ができる防音、防塵、防風、防雨用のパネルを提供することであり、併せてこのパネルを取付けた構造が簡単で、パネルの取付け、取外しが容易な作業足場を提供することである。
【課題を解決するための手段】
【００１６】
上記の目的を達成するため、本発明の防音、防塵、防風、防雨用パネルは、
板状のパネル本体と、
上記パネル本体の周縁に突設した上下、左右の周縁枠と、
上下の周縁枠にそれぞれ形成した左右一対の上側貫通孔及び下側貫通孔と、
上記パネル本体の背面側に設けた左右一対の取付け部材とからなり、
上記取付け部材は、上記パネル本体の背面側に固定したブラケットと、上記ブラケットに固定されて上記上側周縁枠の上記上側貫通孔を上方に向けて貫通するガイドロッドと、上記ガイドロッドの外周に上下方向及び回転方向に移動自在に挿入された引っ掛け部材と、を備えていることを特徴とするものである。
【００１７】
同じく、本発明の一つの作業足場は、
枠組み足場と、
上記枠組み足場の妻面側に着脱自在に取り付けた防音、防塵、防風、防雨用パネルとからなり、
上記枠組み足場は、前後一対の脚柱と上記脚柱間に架設した横架材とを備えて横方向に連続する複数の建枠と、上記横架材間に架設した足場板とで構成され、上記パネルは、板状のパネル本体と、上記パネル本体の周縁に突設した上下、左右の周縁枠と、上下の周縁枠にそれぞれ形成した左右一対の上側貫通孔及び下側貫通孔と、上記パネル本体の背面側に設けた左右一対の取付け部材とからなり、
上記取付け部材は、上記パネル本体の背面側に固定したブラケットと、上記ブラケットに固定されて上記上側周縁枠の上記上側貫通孔を上方に向けて貫通するガイドロッドと、上記ガイドロッドの外周に上下方向及び回転方向に移動自在に挿入された引っ掛け部材とを備え、上記引っ掛け部材を上記横架材に着脱自在に引っ掛けて上記パネルを上記枠組み足場の妻面に配置することを特徴とする。
【００１８】
同じく、他の作業足場は、
単管足場と、上記単管足場の正面側に着脱自在に取り付けた防音、防塵、防風、防雨用パネルとからなり、上記単管足場は、前後一対の脚柱と上記脚柱間に架設した水平材とを備えて横方向に連続する複数の枠体と、上記枠体同士を横方向に連結する横パイプと、上記水平材間に架設した足場板とで構成され、
上記パネルは、板状のパネル本体と、上記パネル本体の周縁に突設した上下、左右の周縁枠と、上下の周縁枠にそれぞれ形成した左右一対の上側貫通孔及び下側貫通孔と、上記パネル本体の背面側に設けた左右一対の取付け部材とからなり、
上記取付け部材は、上記パネル本体の背面側に固定したブラケットと、上記ブラケットに固定されて上記上側周縁枠の上記上側貫通孔を上方に向けて貫通するガイドロッドと、上記ガイドロッドの外周に上下方向及び回転方向に移動自在に挿入された引っ掛け部材とを備え、上記引っ掛け部材を上記横パイプに着脱自在に引っ掛けて上記パネルを上記単管足場の正面に配置することを特徴とする。
【発明の効果】
【００１９】
各請求項の防音、防塵、防風、防雨用パネルの発明によれば、パネルが、板状のパネル本体と、パネル本体の背面側に設けた取付け部材とを備えているので、取付け部材を介して直接パネル本体を作業足場等の横架材や横パイプに取付けできるので、取付け部材の着脱と同時にパネル本体の取付け、取外しが可能となり、パネルの着脱作業の向上が図れる。
【００２０】
同じく、パネル本体と取付け部材が一体化されているので、これらを別々に搬送、格納する必要が無く、作業現場への持ち運びの作業性が向上し、格納スペースの簡素化が図れ、在庫管理も容易となる。
【００２１】
更に、各請求項の作業足場の発明によれば、パネルがパネル本体と  取付け部材が一体化されているので、パネルを取付けるための多数の養生クランプが必要でなくなるため、従来の作業足場に比べて、専用の養生クランプの取付け、取外し作業が不要となり、またこの養生クランプに対するパネルの着脱の作業性も解消される。
【００２２】
しかも、養生クランプが不要となった分部品点数の減少を図れるから作業足場の構造が簡素化され、加工性、組付性、経済性の向上を図れる。
【図面の簡単な説明】
【００２３】
【図１】本発明の一実施形態に係るパネルを取付けた枠組み足場の斜視図である。
【図２】本発明の一実施の形態に係るパネルを枠組み足場の左側建枠に縦横に複数取付ける状態の分解斜視図である。
【図３】本発明の一実施の形態に係るパネルの一部切り欠き斜視図である。
【図４】図1の枠組み足場における右側建枠に取付けたパネルの正面図である。
【図５】図４のＡ−Ａ線一部切欠き縦断側面図である。
【図６】図３に示す取付け部材を引き上げた状態のパネルの一部切欠き拡大斜視図である。
【図７】図３に示す取付け部材を格納した状態のパネルの一部切欠き拡大斜視図である。
【図８】他の実施の形態に係り、取付け部材を引き上げた状態のパネルの一部切欠き拡大斜視図である。
【図９】同じく、取付け部材を格納した状態のパネルの一部拡大斜視図である。
【図１０】引っ掛け部材の側面図である。
【図１１】ブラケットを示し、（Ａ）は平面図、（Ｂ）は正面図、（Ｃ）は背面図である。
【図１２】附勢部材を示し、（Ａ）は平面図、（Ｂ）は正面図、（Ｃ）は側面図である。
【図１３】ストッパの斜視図である。
【図１４】本発明の一実施の形態に係るパネルを単管足場の正面側に取付けた状態の斜視図である。
【発明を実施するための形態】
【００２４】
以下本発明の一実施の形態に係る防音、防塵、防風、防雨用のパネルとこのパネルを取付けた作業足場を説明する。
図１は本発明の一実施の形態に係る防音、防塵、防風、防雨用のパネルＢを左右の側部建枠１５に対向する側面たる妻面に取付け、さらに、他の実施の形態に係る防音等のパネルＰを正面側に取付けた枠組み足場Ａからなる作業足場を示している。
二つのパネルＢ、Ｐは構造が異なり、後述するように、本発明に係るパネルＢは取付け部材５を介して左右の側部建枠１５に着脱自在に取付けられ、他のパネルＰは図５に示すように構造の異なる他の取付け部材５０を介して側部及び中間の建枠１５に取付けられる。
【００２５】
パネルＢ、Ｐはそれぞれ一枚でもよく、縦方向に複数、横方向に複数取付けても良い。
枠組み足場Ａは公知のように、建築中、構築中、又は解体、リフォーム中のビルディング等の構造物の周囲に対向して配置し、足場板１４上で作業者が建築、解体等の所作業を行うものであり、上記パネルＢ、Ｐを足場板１４の側面側、正面側に配置することで構造物側から工事中に発生する騒音が外部に漏れるのを遮断し、あるいは減少させるようにしている。
また、このパネルＢ、Ｐは工事中に発生するゴミが外部に飛散するのを防止し、また、風や雨が外部から足場板１４側に侵入するのを防止し、併せて作業者や工事器具が足場板から外部に落下するのを防止する役目も果たしている。
枠組み足場Ａは図１、図２に示すように、前後一対の脚柱１２a、１２ｂと脚柱１２a、１２ｂ間に架設した横架材１３とを備えて横方向に連続する複数の建枠１５と、上記横架材１３間に架設した足場板１４とで構成されている。
【００２６】
この枠組み足場Ａはビルディング等の構造部の大きさに対応して上下方向と横方向に連続して複数組み付けられ、これに伴ってパネルＢ、Ｐも上下方向と横方向に連続して組み付けられる。
例えば、枠組み足場Ａの妻面たる側面においては、図１、図４の実施の形態に示すように側部建枠１５に対向して長さ寸法の異なる上下二枚のパネルＢ１、Ｂ２を上下方向に組み付けてもよく、あるいは、図２の実施の形態に示すように、建枠１５に対して上側のパネルＢ１を横方向に例えば２枚配設し、この上側のパネルＢ１の下側に上側のパネルＢ１より上下方向の長さが短い下側のパネルＢ２を横方向に並べて配置してもよい。
【００２７】
パネルＢは、図２〜図４に示すように、板状のパネル本体１と、上記パネル本体１の周縁に突設した上下、左右の周縁枠１ａ、１ｂ、２ａ、２ｂと、上下の周縁枠１ａ、１ｂの左右にそれぞれ形成した上下一対の上側貫通孔３、３及び下側貫通孔４、４と、パネル本体１の背面側に設けた左右一対の取付け部材５、５とから構成されている。
【００２８】
上記取付け部材５は、図６〜図９に示すように、パネル本体１の背面側に固定したブラケット６と、ブラケット６に固定又は上下方向に移動自在に保持されて上側周縁枠１aの貫通孔３を上方に向けて貫通するガイドロッド７と、ガイドロッド７の外周に上下方向及び回転方向に移動自在に挿入された引っ掛け部材８と、引っ掛け部材８とパネル本体１の背面との間に介装して引っ掛け部材８を回転方向に附勢する附勢部材９と、パネル本体１の背面側に上記引っ掛け部材８と対向して固定されて附勢部材９の附勢による引っ掛け部材８の回転を規制するストッパ１０とを備えている。
この場合、パネル本体１の背面と上下、左右の周縁枠１a、１ｂ、２ａ、２ｂの背面との間のコーナーに縦方向の補強フレーム１１aと、水平方向の補強フレーム１１ｂとを設け、縦方向の補強フレーム１１aにブラケット６とストッパ１０とを結合している。ただし、ストッパ１０は無くても使用可能である。
さらに、図３に示すように、パネル本体１の背面側において、左右の周縁枠２a、２bには一つ又は複数の把手２３が水平に取り付けられており、この把手２３を掴んでパネルＢを作業者が持ち運び、建枠１５に対するパネルＢの着脱操作を行う。
ブラケット６は図６〜図９、図１１に示すように、補強フレーム１１aの外面にピン、ボルト、溶接、接着で固定したL字状の支持板６aと、支持板６aの外面に固定した筒部６ｂと、支持板６aに縦方向に沿って形成したピン、ボルト挿入用の孔６dと、筒部６bに形成したロッド挿入用の孔６cを備えている。
ブラケット６の支持板６aは補強フレーム１１aの外面に固定され、孔６ｃに上記のガイドロッド７の基端部を上下移動自在に挿入している。
ガイドロッド７の基端部は孔６ｃに挿入後固定しておいても良い。
そして、このガイドロッド７は図６に示すように、筒部６bの上下に配置したナット２１、２２を介してブラケット６の筒部６bに締結され、また、このガイドロッド７の上端は使用時にパネルＢの上側貫通孔３を貫通して上方に突出させている。
【００２９】
上記引っ掛け部材８は図３、図６〜図８に示すように、板状の本体８aと、本体８aの上部に設けたフック８ｂと、本体８aの側部に設けた上下一対のガイドロッド挿入用の筒部８ｃ、８ｃとから構成されている。
【００３０】
上記引っ掛け部材８は図３の矢印Ｘ、Ｙ、Ｚで示すように上下方向と回転方向に移動できるようになっている。
【００３１】
附勢部材９は図６、図７、図１２に示すように、ガイドロッド７の外周に挿入されて引っ掛け部材８における筒部８ｃ、８ｃ間に配置されたコイル部９ａと、コイル部９aの一端から一方に延びて本体８aの背面に当接するへの字状で弾性な押圧部片９ｂと、コイル部９aの他端から押圧部片９ｂと反対方向に延びるL字状の弾性なアーム部９ｃと、アーム部９ｃの端部に一体に延設されてパネル本体１の背面に当接する突っ張り片９ｄとで構成されている。
【００３２】
上記突っ張り片９ｄはややコ字状又はＵ字状に形成されており、パネル本体１の背面との当接面積を増すことでパネル本体１の背面に対して滑りにくくしている。
【００３３】
上記ガイドロッド７の下方には上記引っ掛け部材８の下側の筒部８cに対向して位置決めナット１２が上下移動自在に螺合されており、このナット１２により引っ掛け部材８の上下方向の高さ位置を調節している。
【００３４】
ストッパ１０は、図１３に示すように、固定板１０ａと、固定板１０ａから直角に折り曲げたストップ片１０ｂとで構成されている。
固定板１０ａにはピン、ボルト挿入用の孔１０ｃを上下に沿って一つ又は複数穿設されており、例えば、この孔１０ｃに挿入したピン又はボルトを介して固定板１０ａを補強フレーム１１aに固定すると共にストップ片１０ｂの端部を引っ掛け部材８における本体８aに対向させている。
これにより、引っ掛け部材８が図７の位置から図６に示す位置まで回転した時この引っ掛け部材８の本体８ａをストップ片１０ｂの端部に当接させて引っ掛け部材８が回転し過ぎないように規制している。
次に、枠組み足場Ａの建枠１５にパネルＢを取付ける工程を説明する。
【００３５】
図１、図４、図５に示すパネルＢの取付け状態は、一つの下側パネルＢ２上に他の一つの上側パネルＢ１を直列に重ねた実施の形態を示している。
他方、図２に示すパネルＢの取付け状態は、すでに述べたように、図１のパネルＢに比べて横幅の狭い二つの下側パネルＢ２を並列に取付け、他の二つの上側パネルＢ１をそれぞれの下側パネルＢ２上に重ねながら上側パネルＢ１を並列に配置した他の実施の形態を示している。
上記のように、パネルＢを縦方向に一列に組み付けるか、二列に組み付けるかの違いはあるが、パネルＢの基本構造は同じであり、取付け構造の基本は同じである。
図１、図２、図４、図５に示すそれぞれの実施の形態においては、いずれの場合であっても、図２に示すように、先ずパネルＢ、パネルＰを取付ける前に、一方の脚柱１２ａの下部の左右にそれぞれ一対の受け金具２４、２５をクランプ５１等の締結具を介して固定しておく。
同じく、他方の脚柱１２ｂの下部にも上記の受け金具２４に対向して同じ構造の受け金具２４をクランプ５１で固定しておく。
受け金具２４、２５には上向きのピン２６等の差し込み部材が起立して設けられており、この受け金具２４、２５のピン２６に下側パネルＢ２、Ｐ２を差し込んで取付ける。
この場合、下側パネルＢ２では下側貫通孔４にピン２６を挿入させる。
そして、図１の枠組み足場の右側面におけるパネルＢにおいては、図４に示すように、下側パネルＢ２の右側の下側貫通孔４を脚柱１２ｂ側の受け金具２４のピン２６に差し込み、同じく左側の下側貫通孔４を脚柱１２ａ側の受け金具２４のピン２６に差し込む。
他方、図１、図５に示すように、枠組み足場Ａのコーナーにおいては、正面側の下側パネルＰ２の貫通孔（図示せず）に他の受け金具２５のピン２６を差し込む。
上記の状態で側面側の下側パネルＢ２の上部は取付け部材５を介して建枠１５の横架材１３に引っ掛けられ、正面側の下側パネルＰ２の上部は他の取付け部材５０を介して脚柱１２ａに保持される。
さらに、側面側の下側パネルＢ２と正面側の下側パネルＰ２にはそれぞれ上側パネルＢ１、Ｐ１が上方に向けて重ね合わされ、それぞれの上側パネルＢ１、Ｐ１も取付け部材５、５０を介し横架材１３や脚柱１２ａに引っ掛けられて固定される。
上記のように、正面側のパネルＰも取付け部材５０を介して建枠１５に固定されることで従来のように複数の養生クランプを使用することなく枠組み足場Ａに取付けることができる。
図２に示す実施の形態に示すパネルＢの取付け構造では最下部に受梁２７を設け、この受梁２７に左右一対の下側パネルＢ２、Ｂ２を取付けている。
すなわち、受梁２７は上部中央に上方に起立する左右二本のピン２８からなる差し込み部材を有し、各脚柱１２ａ、１２ｂにそれぞれ取付けた左右の中空な受け金具２４、２４に両端を着脱自在に挿入している。
受梁２７は長さが固定されていても良いが、両側の受け金具２４、２４に挿入し易いように伸縮自在な柱材で成形しても良い。
そして、二つの下側パネルＢ２、Ｂ２に形成している左右二つの下側貫通孔４のうち、一方の下側貫通孔４は受け金具２４側のピン２６に差し込み、他方の下側貫通孔４を受梁２７のピン２８に差し込み、併せて各下側パネルＢ２、Ｂ２は引っ掛け部材８を介して横架材１３に引っ掛けて固定する。
次に、引っ掛け部材８の作動を図３、図６、図７に基づいて説明する。
パネルＢを単に格納、搬送する場合は、図７に示すように、引っ掛け部材８のフック８ｂを上側周縁枠１ａの下方に格納しておく。
この場合、図６の位置から図７の位置に引っ掛け部材８を移行させるのであるが、先ず、位置決めナット１２を回転して下降させ、これに伴って引っ掛け部材８全体をガイドロッド７に沿って下降させる。
次いで、附勢部材９のバネ力に抗してフック８ｂを図７においてガイドロッド７を中心にして手動で反時計方向に回転し、このフック８ｂを上側周縁枠１ａの下方に移動させる。
本実施の形態の各周縁枠１ａ、１ｂ、２ａ、２ｂでは補強フレーム１１ａ、１１ｂに対向して補強を兼ねた枠片１１ｃを設けている。
これにより、図７に示すように、フック８ｂを上側周縁枠１ａの下方に移動した時このフック８ｂの上部が補強フレーム１１ｂと枠片１１ｃの間に収容される。
さらに、上記の位置にフック８ｂを保持させながら位置決めナット１２を再度上昇させて引っ掛け部材８の下側の筒部８ｃの下面に当接し、この位置決めナット１２の上面と上側周縁枠１ａの下面とで引っ掛け部材８全体を挟持し、フック８ｂが飛び出さないように上側周縁枠１ａの下部に保持させる。
次に、例えば、図４に示すように上下２枚のパネルＢ１、Ｂ２を建枠１５に対して取付ける場合は、先ず図７の状態に保持されている位置決めナット１２を若干弛めて下降させ、これにより引っ掛け部材８を手動又は自重で下降させてフック８ｂの上側周縁枠１ａに対する係合状態を解除する。
この時、引っ掛け部材８は附勢部材９のバネ力で附勢され、本体８ａがストッパ１０のストップ片１０ｂに当たるまで図７において時計方向に自動的に回転し、図６に示すようにパネル本体１に対して直角方向に起立する。
【００３６】
次に、引っ掛け部材８全体を手動でガイドロッド７に沿って上方に引き上げ、フック８ｂを上側周縁枠１ａの上面より上方に位置させ、次いで位置決めナット１２を回転して上方に移動させ、この位置決めナット１２で引っ掛け部材８を支持してフック８ｂを飛び出し位置に保持する。
次に、引っ掛け部材８を上記の状態に設定しておいた下側のパネルＢ２を例えば枠組み足場Ａの足場板１４上から把手２３を持って持ち上げて建枠１５の外側の取付け位置に移動させる。
そして、図２、図４に示すように、先ず左右のフック８ｂ、８ｂを下側の建枠１５の横架材１３に引っ掛けると共に下部を左右の受け金具２４、２４で支える。
この場合、すでに述べたように、下側パネルＢ２を左右の受け金具２４、２４に対向させながら各受け金具２４のピン２６を下側パネルＢ２の両側の下側貫通孔４に挿入し、さらに下側パネルＢ２の下面を受け金具２４の上面に当接する。この状態では、下側のパネルＢ２が図４に示すように、下側の建枠１５に対向して保持され、垂直に配置される。
次に、上側パネルＢ１も把手２３を介して足場板１４側で持ち上げながら下側パネルＢ２の上方に配置し、さらに、フック８ｂを側部建枠１５の横架材１３に引っ掛け、同時に左右の下側貫通孔４、４に下側パネルＢ２の左右のガイドロッド７の先端を差し込む。
これにより、上側パネルＢ１は横架材１３に引っ掛けられながら下側パネルＢ２のガイドロッド７で保持され、且つ下側パネルＢ２の上側周縁枠１ａの上面に上側パネルＢ１の下側周縁枠１ｂの下面が当接し、これにより上下のパネルＢ１、Ｂ２の外面を面一にしながら上下に重ねて配置される。
さらに、より安全性を考慮して、図４に示すように、上側パネルＢ１の上端に連結金具３０を介してクランプ３１を設け、このクランプ３１を介して側部建枠１５の横架材１３に締結しても良い。
なお、上記枠組み足場Ａの正面側パネルＰは他の取付け部材５０を介して結合されているが、例えば、各建枠１５間に取付けた横方向に連続する手摺枠を利用し、この手摺枠の横枠に引っ掛け部材８を引っ掛けることにより、上記側面側のパネルＢと同じように正面側に配置することも可能である。
図８、図９は本発明の他の実施の形態に係るパネルを示し、これは上記した図６等の実施の形態におけるナット１２に代えてスプリングＳＰ等の弾性部材を使用したものである。
スプリングＳＰはガイドロッド７に挿入されながら下端がナット２１に支持され、上端は引っ掛け部材８の下側の筒部８ｃに当接するコイルスプリングで構成されている。
これにより、図９に示すように、引っ掛け部材８を上側周縁枠１ａの下側に格納している時はスプリングＳＰが圧縮している。
この状態から引っ掛け部材８を引き上げる時はスプリングＳＰをさらに圧縮しながらフック８ｂを図９において時計方向に回転して上側周縁枠１ａの下面との係合を解除する。
この時、スプリングＳＰは自己復元力で引っ掛け部材８の本体８ａを上方に押し上げ、次いで手動で引き上げて図８に示すようにフック８ｂを上側周縁枠１ａの上方に突出させる。
その他のパネルＢの構造、作用、効果は図６、図７の実施の形態と同じである。
次に、図１４は本発明のパネルＢを単管足場Ｃからなる作業足場の正面側に取付けた実施の形態を示す。
【００３７】
この作業足場は、単管足場Ｃと、単管足場Ｃの正面側に着脱自在に取り付けた防音、防塵、防風、防雨用パネルＢからなるものである。
単管足場Ｃは前後一対の脚柱１６ａ、１６ｂと上記脚柱１６ａ、１６ｂ間に架設した水平材１７とを備えて横方向に連続する複数の枠体１８と、枠体１８同士を横方向に連結する横パイプ２０と、水平材１７間に架設した足場板１９とで構成されている。
さらに、前側の各脚柱１６ａの下部には、図１、図２、図４に示すものと同じ受け金具２４、２５がクランプ５１を介して固定されている。
パネルＢの基本構造及び取付け部材５等の基本構造は上記の実施の形態で述べたものと同じである。
【００３８】
そして、各パネルＢの引っ掛け部材８におけるフック８ｂを横パイプ２０に着脱自在に引っ掛け、また各パネルＢの下側貫通孔４に各受け金具２５のピン２６を挿入し、各パネルＢを単管足場Ｃの正面に配置するものである。
上記の実施の形態では、パネルＢを作業足場に取付けた場合について説明しているが、このパネルＢはその他の防音、防塵用等の構造物にも適用できる。
例えば、工事現場の外周に起立する囲いパネルでは防音、防塵等を図り、併せて部外者が工事現場に出入りするのを防止しているが、この囲いパネルは地上に多数起立した単管と、これらの単管を結合する横方向の単管とを備えているので、この横方向の単管に取付け部材５を介して本発明のパネルＢを引っ掛けて起立して囲いパネルとして利用できる。
【符号の説明】
【００３９】
１  パネル本体１
１ａ、１ｂ、２ａ、２ｂ  周縁枠
３ 上側貫通孔
４  下側貫通孔
５  取付け部材
６  ブラケット
７  ガイドロッド
８  引っ掛け部
８ａ  本体
８ｂ  フック
８ｃ  筒部
９  附勢部材
９ａ  コイル部
９ｂ  押圧部片
９ｃ  アーム部
１０  ストッパ
１０ａ  固定板
１０ｂ  ストップ片
１１ａ、１１ｂ  補強フレーム
１２  ナット
１２ａ、１２ｂ  脚柱
１３  横架材
１４  足場板
１５  建枠
１６ａ、１６ｂ  脚柱
１７  水平材
１８  枠体
２０  横パイプ
Ａ  枠組み足場
Ｃ  単管足場
ＳＰ  スプリング
【図１】
0006630087.tif 000002
【図２】
0006630087.tif 000003
【図３】
0006630087.tif 000004
【図４】
0006630087.tif 000005
【図５】
0006630087.tif 000006
【図６】
0006630087.tif 000007
【図７】
0006630087.tif 000008
【図８】
0006630087.tif 000009
【図９】
0006630087.tif 000010
【図１０】
0006630087.tif 000011
【図１１】
0006630087.tif 000012
【図１２】
0006630087.tif 000013
【図１３】
0006630087.tif 000014
【図１４】
0006630087.tif 000015